(57)【要約】【課題】２重容器としての機能を持ちつつ、使用用途によっては２つの容器として使用することも可能となるコンビネーションカップを提供する。【解決手段】第１のカップ１２と、第１のカップ１２の内側に重ね合わせる事を可能とし、第１のカップ１２との重ね合わせ部１８よりも上側に開口部を備える第２のカップ１４と、を有し、重ね合わせ部１８には、第１のカップ１２と第２のカップ１４とを係合する係合機構１２ａ，１４ａが備えられ、第１のカップ１２と第２のカップ１４とを重ね合わせた状態において、重ね合わせ部１８よりも下側における第１のカップ１２と第２のカップ１４との間には、空隙１６が形成されることを特徴とする。【選択図】図１
2018117913.tif 000002
【特許請求の範囲】
【請求項１】
第１のカップと、
前記第１のカップの内側に重ね合わせる事を可能とする第２のカップと、を有し、
前記第１のカップと前記第２のカップとの重ね合わせ部には、２つのカップの連結と分離を可能とする係合機構が備えられ、
前記第１のカップと前記第２のカップとを重ね合わせた状態において、前記係合機構よりも下側における前記第１のカップと前記第２のカップとの間には、空隙が形成されることを特徴とするコンビネーションカップ。
【請求項２】
前記第２のカップの開口部は、前記重ね合わせ部よりも上側に位置するように構成されていることを特徴とする請求項１に記載のコンビネーションカップ。
【請求項３】
前記第２のカップにおける前記係合機構からカップ底部に向かう窄み方向の傾斜角が前記第１のカップにおける前記係合機構からカップ底部に向かう窄み方向の傾斜角よりも大きく、
前記第１のカップにおける前記係合機構から開口部に向かう傾斜角と、前記第２のカップにおける前記係合機構から開口部に向かう傾斜角とを等しくしたことを特徴とする請求項１または２に記載のコンビネーションカップ。
【請求項４】
前記係合機構が、凹凸嵌合により構成されていることを特徴とする請求項１乃至３のいずれか１項に記載のコンビネーションカップ。
【請求項５】
前記係合機構が、螺合により構成されていることを特徴とする請求項１乃至３のいずれか１項に記載のコンビネーションカップ。
【請求項６】
前記第１のカップと前記第２のカップを樹脂により構成したことを特徴とする請求項１乃至５のいずれか１項に記載のコンビネーションカップ。
【発明の詳細な説明】
【技術分野】
【０００１】
本発明は、飲料用の容器に係り、特にグラス以外のカップに関する。
【背景技術】
【０００２】
内容物の保温性（保冷性）の向上や、容器の結露を抑制することを目的として、飲料用容器を２重にし、外側容器と内側容器との間の空隙を真空とする構造は種々提案され、多岐に亘る製品として製造販売されている。
【０００３】
このような実状の下、特許文献１には、市販のガラス製コップを利用して、保温、保冷を図る事のできる容器についての提案が開示されている。特許文献１には、大小２つのガラス製の容器を重ね合わせ、２つの容器の重ね合わせ部を接着剤により密閉接着し、２つの容器間に生ずる空隙を真空にするというものである。
【先行技術文献】
【特許文献】
【０００４】
【特許文献１】特開平４−６６１７号公報
【発明の概要】
【発明が解決しようとする課題】
【０００５】
特許文献１に開示されている提案によれば、市販の容器を用いて保温性、保冷性の向上を図る事のできる容器を構成する事が可能となると考えられる。しかし、特許文献１に開示されている構成では、２つの容器として機能させる事ができるものを１つの容器として構成させているため、容器の使用手段としては非常に効率が悪いものとなってしまっているという問題がある。
【０００６】
そこで本発明では上記問題を解決し、２重容器としての機能を持ちつつ、使用用途によっては２つの容器として使用することも可能となるコンビネーションカップを提供することを目的とする。
【課題を解決するための手段】
【０００７】
上記目的を達成するための本発明に係るコンビネーションカップは、第１のカップと、前記第１のカップの内側に重ね合わせる事を可能とする第２のカップと、を有し、前記第１のカップと前記第２のカップとの重ね合わせ部には、２つのカップの連結と分離を可能とする係合機構が備えられ、前記第１のカップと前記第２のカップとを重ね合わせた状態において、前記係合機構よりも下側における前記第１のカップと前記第２のカップとの間には、空隙が形成されることを特徴とする。
【０００８】
また、上記のような特徴を有するコンビネーションカップにおいて前記第２のカップの開口部は、前記重ね合わせ部よりも上側に位置するように構成されていると良い。
【０００９】
このような特徴を有する事によれば、コンビネーションカップを構成した際、第２のカップの開口部は、コンビネーションカップの飲み口となる。このため、飲み口である開口部を第１のカップとの重ね合わせ部よりも上側に位置する事で、飲料等を飲んだ際、飲料等が重ね合わせ部に入り込むことを防ぐことができる。
【００１０】
また、上記のような特徴を有するコンビネーションカップでは、前記第２のカップにおける前記係合機構からカップ底部に向かう窄み方向の傾斜角が前記第１のカップにおける前記係合機構からカップ底部に向かう窄み方向の傾斜角よりも大きく、前記第１のカップにおける前記係合機構から開口部に向かう傾斜角と、前記第２のカップにおける前記係合機構から開口部に向かう傾斜角とを等しく構成すると良い。
【００１１】
このような特徴を有することによれば、係合機構を一致させた上で、第１のカップと第２のカップを重ね合わせることができる。また、重ね合わせ部を密着させ、２つのカップの段差を小さくし、コンビネーションカップとしての扱いやすさや美観を向上させることができる。さらに、重ね合わせ部の隙間に飲料等が入り込む事を抑制することができる。
【００１２】
また、上記のような特徴を有するコンビネーションカップでは、前記係合機構が、凹凸嵌合により構成されるようにすることができる。
【００１３】
このような特徴を有する事により、第１のカップと第２のカップとの係合を容易かつ迅速に行う事が可能となる。
【００１４】
また、上記のような特徴を有するコンビネーションカップでは、前記係合機構が、螺合により構成されるようにすることもできる。
【００１５】
このような特徴を有する事により、第１のカップと第２のカップとの係合が確実なものとなる。
【００１６】
さらに、上記のような特徴を有するコンビネーションカップでは、前記第１のカップと前記第２のカップを樹脂により構成することが望ましい。
【００１７】
このような特徴を有する事により、カップの形成が容易なものとなる。また、形成されたカップが可撓性を持つため、２つのカップの係合・分離を容易に行う事ができるようになる。
【発明の効果】
【００１８】
上記のような特徴を有するコンビネーションカップによれば、２つのカップを一体化させて使用する際には、内側に配置したカップに注がれた飲料の保温性、あるいは保冷性を向上させる事ができる。また、内容物が気温よりも低い温度である場合には、カップの外周に結露が生じる事を抑制する事ができる。一方、２つのカップを分離した場合には、それぞれを容量の近似した２つのカップとして使用する事ができる。このため、カップを使用する人数や用途により、簡単にカップの数を増減させる事ができる。
【図面の簡単な説明】
【００１９】
【図１】実施形態に係るコンビネーションカップの構成を示す断面図である。
【図２】実施形態に係るコンビネーションカップを構成する第１カップと第２カップを分離した状態を示す断面図である。
【図３】実施形態に係るコンビネーションカップにおける第１の変形形態を示す断面図である。
【図４】実施形態に係るコンビネーションカップにおける第２の変形形態を構成する第２のカップの断面構成、及び側面構成を示す図である。
【図５】実施形態に係るコンビネーションカップにおける第２の変形形態を構成する第１のカップの断面構成、及び側面構成を示す図である。
【発明を実施するための形態】
【００２０】
以下、本発明のコンビネーションカップに係る実施の形態について、図面を参照して詳細に説明する。なお、以下に示す実施の形態は、発明を実施する上での好適な形態の一部であり、その機能を確保した上で、容器としての形態を変化させた場合であっても、本発明の一部とみなすことができる。
【００２１】
まず、図１、図２を参照して、実施形態に係るコンビネーションカップについて説明する。なお、図１は、実施形態に係るコンビネーションカップの断面構成を示す図であり、図２は、コンビネーションカップを構成する第１のカップと第２のカップを分解した状態の断面構成を示す図である。
【００２２】
本実施形態に係るコンビネーションカップ１０は、第１のカップ１２と第２のカップ１４を基本として構成されている。第１のカップ１２と第２のカップ１４は、図１に示すように重ね合わせる事を可能とし、両者の間に空隙１６を設けるようにして、単一のコンビネーションカップ１０を構成する。２つのカップの間に空隙１６を設けて空気層を介在させる事で、熱伝導を低下させ、内側のカップ（図１に示す例では第２のカップ１４）に注がれる飲料等の保温性、あるいは保冷性を向上させる事ができ、かつ内容物が気温よりも低い場合には、カップ外周に結露が生じる事を抑制する事ができる。
【００２３】
ここで、第１のカップ１２の内側に第２のカップ１４を重ね合わせる構成とする場合、第２のカップ１４の開口部は、第１のカップ１２との重ね合わせ部１８よりも上側に位置するように構成すると良い。コンビネーションカップ１０を構成した際、第２のカップ１４の開口部は、コンビネーションカップ１０の飲み口を構成する。このため、第２のカップ１４の開口部を第１のカップ１２との重ね合わせ部１８よりも上側に位置させる事で、飲料を飲んだ際、重ね合わせ部１８に、あるいは重ね合わせ部１８から空隙１６の内部へ飲料が入り込んでしまう虞を無くすことができる。
【００２４】
第１のカップ１２と第２のカップ１４は、それぞれ両者の重ね合わせ部１８に係合機構１２ａ，１４ａが備えられている。係合機構１２ａ，１４ａの具体的構成については限定するものでは無いが、例えば図１、図２に示す構成は、凹凸による嵌め合いを成すものとしている。具体的には、第２のカップ１４の外周側に凹部（括れ）を形成すると共に、第１のカップ１２の内周側に凸部を形成するというものである。なお、第２のカップ１４の凹部と第１のカップ１２の凸部は、両者を重ね合わせた際の重ね合わせ部１８において、それぞれ対応する位置に設けることとする。
【００２５】
凹凸の大きさとしては、第２のカップ１４の開口部を把持してコンビネーションカップ１０を持ち上げた際、第１のカップ１２が脱落しない係合強さを持ち、かつ手動による押圧で、２つのカップの重ね合わせを行う事ができる程度の撓みにより係合が成される大きさとすると良い。２つのカップを容易に係合させる事ができ、２つのカップを係合させた後には、一体物として取り扱う事が可能となるからである。
【００２６】
また、第１のカップ１２と第２のカップ１４において、係合機構１２ａ，１４ａの配置高さを異ならせる事で、図２に示すように、第１のカップ１２と第２のカップ１４の高さＬを一致させる事もできる。第１のカップ１２と第２のカップ１４の高さＬを一致させる事で、両者を個別のカップ（２つのカップ）として使用する際に、見た目のバランスを良くする事ができる。ここで、第２のカップ１４を第１のカップ１２の内側に重ね合わせる形態とする場合、第１のカップ１２の係合機構１２ａの方が、第２のカップ１４の係合機構１４ａよりも高い位置に配置されることとなる。
【００２７】
係合機構１２ａ，１４ａの高さ位置は、少なくとも、コンビネーションカップ１０として形成した際に、カップの半分よりも上側、望ましくはカップ高さの８割程度の位置となるような構成とすると良い。第１のカップ１２と第２のカップ１４との間の空隙１６は、係合機構１２ａ，１４ａの下側に設けられる。通常、カップに対して飲料等を注ぐ際には、カップの飲み口から２割程度を残して注ぐ事が美しいとされている。このため、それよりも下側に空隙１６が設けられるように構成する事で、内容物の保温性、あるいは保冷性を高める事ができると共に、容器の外周に結露が生じる事も抑制する事ができることとなる。
【００２８】
また、本実施形態では、第２のカップ１４における係合機構１４ａからカップ底部に向かう窄み方向の傾斜角θ１が、第１のカップ１２における係合機構１２ａからカップ底部に向かう窄み方向の傾斜角θ２よりも大きくなるように構成されている。このような構成とする事で、第２のカップ１４を第１のカップ１２の内側に重ね合わせ、かつ係合機構１２ａ，１４ａを一致させる事が可能となるからである。
【００２９】
また、本実施形態では、第１のカップ１２における係合機構１２ａから開口部に向かう傾斜角θ３と、第２のカップ１４における係合機構１４ａから開口部に向かう傾斜角θ４とが等しくなるように構成している。このような構成とする事で、２つのカップを重ね合わせた際に２つのカップの間に生じる段差を小さくする事ができ、コンビネーションカップ１０としての持ち易さや、美観を向上させる事ができる。また、２つのカップを密着させる事ができ、重ね合わせ部１８に飲料等が入り込む事を防止する事もできる。
【００３０】
このような形態のコンビネーションカップ１０は、両者の嵌め合いによる結合、分離を基本としている事より、樹脂や金属等、僅かな可撓性を有する素材により構成すると良い。
【００３１】
上記のような構成のコンビネーションカップ１０によれば、２つのカップを一体化させて使用する際には、内側に配置したカップに注がれた飲料の保温性、あるいは保冷性を向上させる事ができる。また、内容物が気温よりも低い温度である場合には、カップの外周に結露が生じる事を抑制する事ができる。
【００３２】
一方、２つのカップを分離した場合には、それぞれを容量の近似した２つのカップとして使用する事ができる。このため、カップを使用する人数や用途により、簡単にカップの数を増減させる事ができる。
【００３３】
また、実施形態に係るコンビネーションカップ１０を構成する第１のカップ１２と第２のカップ１４は、一般的な２個のカップに比べて、その重ね合わせの密着度が高い。よって、２つのカップとしての収納性にも優れることとなる。
【００３４】
［第１の変形形態］
上記実施形態では、コンビネーションカップ１０を構成する際に内側に配置されるカップとなる第２のカップ１４の外周に凹部を形成すると共に、第１のカップ１２の内周に凸部を形成し、これらを係合機構１２ａ，１４ａとしている。
【００３５】
しかしながら係合機構１２ａ，１４ａは、この構成に限定されるものでは無い。例えば図３に示すように、第２のカップ１４の外周に凸部を形成し、第１のカップ１２の内周に凹部を形成するものであっても、これを係合機構１４ａ，１２ａとすることができる。よって、構成されるコンビネーションカップ１０は、本実施形態の一部とみなすことができる。
【００３６】
［第２の変形形態］
また、上記実施形態では、係合機構１２ａ，１４ａについていずれも、凹凸による嵌め合いである旨説明している。しかしながら係合機構１２ａ，１４ａは、図４、図５に示すような、螺合によるものとしても良い。なお、図４において図４（Ａ）は第２のカップの断面構成を示す図であり、図４（Ｂ）は第２のカップの側面構成を示す図である。また、図５における図５（Ａ）は第１のカップの断面構成を示す図であり、図５（Ｂ）は第１のカップの側面構成を示す図である。
【００３７】
螺合による係合機構１２ａ，１４ａについての具体的構成は、例えば次のようなものであれば良い。すなわち、第２のカップ１４の外周面における重ね合わせ部１８に雄ネジを形成すると共に、第１のカップ１２の内周面における重ね合わせ部１８に、雄ネジに対応したピッチ、及び径を持つ雌ネジを形成するというものである。
【００３８】
係合機構１２ａ，１４ａをこのような構成とした場合、係合機構１２ａ，１４ａを凹凸による嵌め合いとする場合に比べ、係合を確実なものとすることができ、両者の隙間を小さなものとすることができる。よって、空隙１６に飲料等が入り込む事を確実に防止する事ができる。
【００３９】
なお、その他の構成、作用、効果については、上記実施形態に係るコンビネーションカップ１０と同様である。よって、このような構成とした場合でも、本実施形態に係るコンビネーションカップ１０の一部とみなすことができる。
【００４０】
また、上記実施形態では、第１のカップ１２と第２のカップ１４の高さＬを一致させる旨記載した。しかしながら、２つのカップの高さＬを異ならせたとしても、係合機構１２ａ，１４ａを介した２つのカップの連結と分離を可能とし、空隙１６を備える構成であれば、本発明の一部とみなすことができることは言うまでもない。
【００４１】
また、上記実施形態では、第１のカップ１２と第２のカップ１４との間に形成される空隙１６については、熱伝導を抑制するための空気層であるとして説明した。しかしながら、本発明に係るコンビネーションカップ１０を使用する上においては、空隙１６に水などの液体やコロイド溶液（ゾル）などを導入するようにしても良い。このような使用方法を採用する場合、空隙１６に導入した液体等を冷却固化させる事で、第２のカップ１４へ注がれた内容物を冷却する効果を持たせる事ができる。
【００４２】
この時、例えば液体を水主体のものとした場合、冷却固化により体積が増加する。このため、第１のカップ１２の内周面には、空隙１６に液体を導入する際の目安となるライン（アッパーライン）を設けるようにすると良い。
【符号の説明】
【００４３】
１０………コンビネーションカップ、１２………第１のカップ、１２ａ………係合機構、１４………第２のカップ、１４ａ………係合機構、１６………空隙、１８………重ね合わせ部。
【図１】
2018117913.tif 000003
【図２】
2018117913.tif 000004
【図３】
2018117913.tif 000005
【図４】
2018117913.tif 000006
【図５】
2018117913.tif 000007
【手続補正書】
【提出日】平成29年9月28日(2017.9.28)
【手続補正１】
【補正対象書類名】特許請求の範囲
【補正対象項目名】全文
【補正方法】変更
【補正の内容】
【特許請求の範囲】
【請求項１】
第１のカップと、
前記第１のカップの内側に重ね合わせる事を可能とする第２のカップと、を有し、
前記第１のカップと前記第２のカップとの重ね合わせ部には、２つのカップの連結と分離を可能とする係合機構が備えられ、
前記第１のカップと前記第２のカップの高さを一致させ、
前記第１のカップと前記第２のカップとを重ね合わせた状態において、前記係合機構は、少なくとも重ね合わせた状態のカップの半分よりも上側に位置し、
前記第２のカップにおける前記係合機構からカップ底部に向かう窄み方向の傾斜角が前記第１のカップにおける前記係合機構からカップ底部に向かう窄み方向の傾斜角よりも大きくすることで、前記係合機構よりも下側における前記第１のカップと前記第２のカップとの間には、空隙が形成され、
前記第１のカップにおける前記係合機構から開口部に向かう傾斜角と、前記第２のカップにおける前記係合機構から開口部に向かう傾斜角とを等しくすることで、前記係合機構よりも上側に位置する前記重ね合わせ部は、密着する構成としたことを特徴とするコンビネーションカップ。
【請求項２】
前記第２のカップの前記係合機構は、前記第１のカップに比べて低い位置に存在する事を特徴とする請求項１に記載のコンビネーションカップ。
【請求項３】
前記係合機構が、凹凸嵌合により構成されていることを特徴とする請求項１または２に記載のコンビネーションカップ。
【請求項４】
前記係合機構が、螺合により構成されていることを特徴とする請求項１または２に記載のコンビネーションカップ。
【請求項５】
前記第１のカップと前記第２のカップを樹脂により構成したことを特徴とする請求項１乃至４のいずれか１項に記載のコンビネーションカップ。
【手続補正２】
【補正対象書類名】明細書
【補正対象項目名】０００７
【補正方法】変更
【補正の内容】
【０００７】
上記目的を達成するための本発明に係るコンビネーションカップは、第１のカップと、前記第１のカップの内側に重ね合わせる事を可能とする第２のカップと、を有し、前記第１のカップと前記第２のカップとの重ね合わせ部には、２つのカップの連結と分離を可能とする係合機構が備えられ、前記第１のカップと前記第２のカップの高さを一致させ、前記第１のカップと前記第２のカップとを重ね合わせた状態において、前記係合機構は、少なくとも重ね合わせた状態のカップの半分よりも上側に位置し、前記第２のカップにおける前記係合機構からカップ底部に向かう窄み方向の傾斜角が前記第１のカップにおける前記係合機構からカップ底部に向かう窄み方向の傾斜角よりも大きくすることで、前記係合機構よりも下側における前記第１のカップと前記第２のカップとの間には、空隙が形成され、前記第１のカップにおける前記係合機構から開口部に向かう傾斜角と、前記第２のカップにおける前記係合機構から開口部に向かう傾斜角とを等しくすることで、前記係合機構よりも上側に位置する前記重ね合わせ部は、密着する構成としたことを特徴とする。
【手続補正３】
【補正対象書類名】明細書
【補正対象項目名】０００８
【補正方法】変更
【補正の内容】
【０００８】
また、上記のような特徴を有するコンビネーションカップにおいて前記第２のカップの前記係合機構は、前記第１のカップに比べて低い位置に存在するように構成されていると良い。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１８
【補正方法】変更
【補正の内容】
【００１８】
上記のような特徴を有するコンビネーションカップによれば、２つのカップを一体化させて使用する際には、内側に配置したカップに注がれた飲料の保温性、あるいは保冷性を向上させる事ができる。また、内容物が気温よりも低い温度である場合には、カップの外周に結露が生じる事を抑制する事ができる。一方、２つのカップを分離した場合には、それぞれを容量の近似した２つのカップとして使用する事ができる。このため、カップを使用する人数や用途により、簡単にカップの数を増減させる事ができる。
また、重ね合わせ部を密着させることで、２つのカップの段差を小さくし、コンビネーションカップとしての扱いやすさや美観を向上させることができる。さらに、重ね合わせ部の隙間に飲料等が入り込む事を抑制することができる。
【手続補正７】
【補正対象書類名】明細書
【補正対象項目名】００４０
【補正方法】削除
【補正の内容】